(57)【特許請求の範囲】
【請求項１】
足指に装着して使用する足趾パッドをDIY（Do-It-Yourself）感覚で作成する足趾パッド作成キットおいて；
該足趾パッド作成キットは１本の足指が挿入可能な内径を有する低反発素材又はシリコン素材を用いた筒状本体部（１）で構成され、該筒状本体部は外筒軸芯に対し内筒軸芯が偏芯することで筒厚が厚肉に形成された厚肉面（３）と薄肉に形成された薄肉面（４）とを有し、
該筒状本体部の薄肉面（４）には第１足趾パッド（１０）作成用に切断すべき箇所を示す第１組の切断表示線（G１）と第２足趾パッド（２０）作成用の第２組の切断表示線（G２）、そして第３足趾パッド（３０）作成用に軸芯に対して直交する方向に輪切りすべき箇所を示すリング状の第３組の切断表示線（G３）、を含む複数組の切断表示線が表示されており、該複数組の切断表示線は他の組の切断表示線に対し視覚判別可能な態様で表示されており、該視覚判別された何れか１組の切断表示線を切断することにより、１つの筒状本体部（１）から１つの足趾パッドを作成できるように構成されたことを特徴とする足趾パッド作成キット（１００）。
【請求項２】
前記視覚判別可能な態様で表示された第１組、第２組、そして第３組の切断表示線（G１、G２、G３）の各々は、他の組の切断表示線とは異なる色又は線種により表示されていることを特徴とする請求項１記載の足趾パッド作成キット（１００）。
【請求項３】
前記第１足趾パッド（１０）作成用の第１組の切断表示線（G１）は、筒状本体部（１）の軸芯に対し直交方向に示された１本の弧状の切断表示線（L１１）と、該弧状の切断表示線の両端部の各々を起点として、前記筒状本体部の軸芯に対し平行方向に示された筒状本体部の一方の端部に至る２本の直線状の切断表示線（L１２、L１３）とで構成され、
前記第２足趾パッド（２０）作成用の第２組の切断表示線（G２）は、筒状本体部（１）の軸芯に対し直交方向に示された１本の弧状の切断表示線（L１１）と、該弧状の切断表示線の中点を起点として、前記筒状本体部の軸芯に対し平行方向に示された筒状本体部の一方の端部に至る１本の直線状の切断表示線（L２１）とで構成され、
前記第３足趾パッド（３０）作成用の第３組の切断表示線（G３）は、筒状本体部（１）の軸芯に対し直交方向に示され、かつ足指長の間隔で、該筒状本体部を輪切りする複数本のリング状の切断表示線（L３１、L３２、L３３）、で構成されていることを特徴とする請求項１記載の足趾パッド作成キット（１００）。
【請求項４】
前記第１足趾パッド（１０）作成用の第１組の切断表示線（G１）に表示されている３本の切断表示線（L１１、L１２、L１３）は、該３本の切断表示線に沿って筒状本体部（１）を切断することで第１足趾パッドを作成できるように表示され、
該弧状の切断表示線（L１１）を切断することで形成した指挿入部（２）を足の親指に装着し、かつ２本の直線状の切断表示線（L１２、L１３）を切断開口して厚肉面（３）を足趾の外反母趾部または種子骨痛部に当接させて足趾患部を保護できるように、または指挿入部（２）を小指に装着し、かつ厚肉面（３）を足趾の内反小趾部に当接させて足趾患部を保護できるように、前記切断表示線（L１１、L１２、L１３）が前記筒状本体部の薄肉面（４）に表示されており；
前記第２足趾パッド（２０）作成用の第２組の切断表示線（G２）に表示されている２本の切断表示線（L１１、L２１）は、該２本の切断表示線に沿って筒状本体部（１）を切断することで第２足趾パッドを作成できるように表示され、
該弧状の切断表示線（L１１）を切断することで形成した指挿入部（２）を何れかの足指に装着し、かつ１本の直線状の切断表示線（L２１）を切断開口して厚肉面（３）を足裏のタコまたは魚の目に当接させて足趾患部を保護できるように、前記切断表示線（L１１、L２１）が前記筒状本体部の薄肉面（４）に表示されており；
前記第３足趾パッド（３０）作成用の第３組の切断表示線（G３）に表示されている複数本のリング状の切断表示線（L３１、L３２、L３３）は、該複数本の切断表示線に沿って筒状本体部（１）を切断することで第３足趾パッドを作成できるように表示され、
該弧状の切断表示線（L３１、L３２、L３３）を切断することで形成した指挿入部（２）を痛みのある何れかの足指に装着し、厚肉面（３）を足指のハンマートウまたは指タコ部に当接させて足趾患部を保護できるように、前記切断表示線（L３１、L３２、L３３）が前記筒状本体部（１）にリング状に表示されていることを特徴とする請求項３記載の足趾パッド作成キット（１００）。
【請求項５】
前記第１組、第２組、そして第３組の切断表示線（G１、G２、G３）の各切断表示線は、金型を用いて筒状本体部（１）と一体成型により構成するか、または該第１組、第２組、そして第３組の切断表示線（G１、G２、G３）の各切断表示線を予め印刷表示した切断表示線シート（５０）を筒状本体部（１）の表面に貼付することで構成することを特徴とする請求項１記載の足趾パッド作成キット（１００）。
【請求項６】
足指に装着して使用する足趾パッドをDIY（Do-It-Yourself）感覚で作成する足趾パッド作成キット（１００）に用いる切断表示線シート（５０）において、
足趾パッド作成キット（１００）は、１本の足指が挿入可能な内径を有する低反発素材又はシリコン素材を用いた筒状本体部（１）と、該筒状本体部（１）表面に貼付して使用する切断表示線シート（５０）とで構成されており、
該切断表示線シート（５０）の表面には、第１足趾パッド（１０）作成用に切断すべき箇所を示す第１組の切断表示線（G１）と、第２足趾パッド（２０）作成用の第２組の切断表示線（G２）と、そして第３足趾パッド（３０）作成用に軸芯に対して直交する方向に輪切りすべき箇所を示すリング状の第３組の切断表示線（G３）とを含む複数組の切断表示線が印刷されており、該切断表示線シート（５０）を前記筒状本体部（１）の表面に貼付した後に、該切断表示線シート（５０）上に印刷された前記第１組、第２組、第３組の各切断表示線（G１、G２、G３）の何れか１組の切断表示線に沿って、該切断表示線シート（５０）が貼付された前記筒状本体部（１）をハサミ等で切断することにより、１つの筒状本体部（１）から１つの足趾パッドを作成できるように構成されたことを特徴とする切断表示線シート（５０）。
【発明の詳細な説明】
【技術分野】
【０００１】
本発明は足趾パッド作成用キットの構造に関し、より具体的には１本のチューブからDIY（Do-It-Yourself）感覚で足趾患者自らが特定形状の足趾パッドを切り取ることで、足の指や足裏等の痛みを緩和させることができる足趾パッドを作成する足趾パッド作成用キットの構造に関する。なおこの１本のチューブ状の足趾パッド作成用キットからは、例えば３種類の足趾パッドの何れか１種類の足趾パッドを足趾患者自身が作成することが可能となる。
【背景技術】
【０００２】
足趾の各部に発生する色々なトラブルとして外反母趾、内反小趾、足裏のタコ、魚の目、指のタコ、種子骨の炎症、ハンマートゥによる指の上のタコが一般に知られている。外反母趾は、足の親指の一種の変形であって、前方にゆとりの無い履物を履くことによって親指の指先が隣接する第２指の方に曲がって密着するようになり、親指の付け根の関節が外方へ向けて突出状態となるものである。この関節部分の変形は、激しい痛を伴うものである。内反小指も足の小指の一種の変形であって、小指の指先が隣接する第４指の方に曲がり、外反母趾と同様な激痛を生じるものである。外反母趾、内反小指がひどくなると、素足の歩行時にも親指、小指の付け根関節部分に激痛を感じるものとなり、足をかばうような不自然な歩行姿勢になりがちであって、この姿勢は膝及び腰の痛みの原因になるものである。また魚の目は、常に圧迫や摩擦を受けている部分にできるもので、皮膚の角質層が厚くなり中心部分に芯ができてくると、その芯がだんだんと皮膚の深くまで入り込み神経を刺激してひどく痛むようになるものである。また更にハンマートゥは、足指の間接がハンマーのように曲がってしまうもので、横アーチの低下や偏平足配アーチから起こり、足指が跳ね上がった状態で靴を履き、上と横からの圧迫で関節が曲がりそのまま伸びなくなるもので手術をしないと直すことは出来ないという問題点を有している。
【０００３】
これらの足のトラブルに対処するものとして、足の指や足裏等形態に適合させこれらの部位の痛みを緩和させ専用の足趾パッドが提案されている。しかし、この種の専用足趾パッドでは、例えば親指の付け根の間接用に作成された足趾パッドを小指用には転用できないなどの不都合がある。すなわち市販されている足趾パッドは、適用部位が決められており、しかも、個人差に対応できるものではない。従って、使用者は複数種類の足趾パッドを購入しなければならないという問題があった。
【０００４】
例えば特許文献１に開示する外反母趾矯正具は、母趾及び第二趾に係止されるリング状の係止部が形成されたものであり、外反母趾矯正具の通常状態に戻ろうとする弾性復元力により母趾及び第二趾が互いに離れる方向に力が作用して外反母趾が矯正されるようにしたものである。しかし、この発明は、足の指や足裏等の痛みを緩和させるという機能は無く、足の指に痛みがある状態では使用できないとともに痛みがある状態で使用するとかばい足をしながら歩くこととなり、バランスの良い歩き方が出来ず、腰が痛くなったりするという問題点があった。
【０００５】
また特許文献２に開示する足指に装着する靴擦れ防止具は、支持構造と支持構造と一体の弾性保護部とを含み、支持構造は足指のいずれかひとつに着脱自在に形成してあり、弾性保護部は足指に装着した際に足指の保護部位を被覆可能となるように構成されている。これにより一本一本の指に装着可能であるので擦れ難く、靴擦れが起き易い部分を効果的に保護できる。しかしながらこの構成では専用品であるため、足指以外の部位の保護には用いることが出来ないという問題点があった。
【０００６】
また更に特許文献３示す足指用保護帯は、足の指先に巻き付けて指の蒸れを防止することによって湿疹や水虫を防ぐ足指用保護帯に関するものである。従って、特許文献１と同様に足の指や足裏等の痛みを緩和させるという機能が無いものであり、これも特許文献1と同様に足の指に痛みがある状態では使用できないとともに、痛みがある状態で使用するとかばい足をしながら歩くこととなりバランスの良い歩き方が出来ず、膝、腰が痛くなったりするという問題点があった。
【先行技術文献】
【特許文献】
【０００７】
【特許文献１】特開２００８−１７８４３６号公報
【特許文献２】実用新案登録第３１１６０４８号公報
【特許文献３】実開平６−４８６３４号公報
【発明の概要】
【発明が解決しようとする課題】
【０００８】
本発明は上記従来の課題を解決するもので、足趾患者自身がハサミで切断することで、上記足趾各部の色々なトラブルに対応可能な足趾パッドを作成できる足趾パッド作成キットを提供することを目的とする。
【課題を解決するための手段】
【０００９】
本願発明に係る足趾パッド作成キットは、足指に装着して使用する足趾パッドをDIY（Do-It-Yourself）感覚で作成できる足趾パッド作成キットであり、この足趾パッド作成キットは一本の足指が挿入可能な内径を有する低反発素材又はシリコン素材を用いた筒状本体部（チューブ状本体）で構成されている。その外表面には足趾患部に当てて痛みを軽減する厚肉面（保護面）が設けられている。そして軸芯に対してこの筒状本体部の外表面の厚肉面（保護面）と対称位置の外表面部には、切断すべき箇所を示す第１組および第２組の切断表示線（G１、G２）が表示されている。更に又、軸芯に対して直交する方向に輪切りすべき箇所を示すリング状の第３組の切断表示線（G３）も表示されている。これ等の組であるG1、G2、G3の切断表示線は、例えばハサミ等で切断すべき箇所を示すために表示されているが、この複数の切断表示線の各々が全て同一の線で表示されているとどの線を切断すべきかが判別し難いので、G1、G2、G3の組毎に切断表示線は視覚判別可能な態様で表示されている。そしてこの視覚判別された何れか１組の切断表示線を選択して切断することにより、１つの足趾パッドを作成するものである。これにより足趾患部の部位に応じて異なる複数種類の足趾パッドを持つことなく、この足趾パッド作成キット一つで各部位用の足趾パッドをDIY感覚で作成することが可能となる。
【００１０】
なお上記視覚判別可能な態様で表示された複数の組の切断表示線とは、例えば他の組の切断表示線とは異なる色又は線種により表示されていることをいう。本願発明では３組の切断表示線を例示として表示するが、この３組に限定する趣旨ではなく、必要頻度の高い複数種類の足趾パッドを作成する数を限定しない組の切断表示線を表示してもよい。なお各組の切断表示線は、基本的には（１）上記筒状本体部の軸芯に対し直交方向に切断するとき形成される一つの弧状の切断表示線と、この弧状の切断表示線の両端部の各々を起点として、前記筒状本体部の軸芯に対し平行方向に筒状本体部の一方の端部に至る１または２本の直線状の切断表示線で構成されるか、または（２）上記筒状本体部の軸芯に対して直交する方向に輪切りする複数個のリング状の切断表示線、で構成される。そして１組の切断表示線を、足趾患部の部位に応じて足趾患者自身がハサミで切取ることにより足趾パッドを作成する。そして筒状本体部の切り残された部分である指挿入部を患部に応じて一本の指に挿入して作成した足趾パッドを固定した後に、この筒状本体部の残余の部分である厚肉面（保護面）を患部に当ててカバーするようにして使用する。この様に足趾患者自身が自分の足趾患部に応じて選択した組の切断表示線に沿って切取ることで足趾パッドを作成し、切取った足趾パッドで患部の痛みを緩和することが可能となる。
【発明の効果】
【００１１】
本願発明の足趾パッド作成キット１個を準備すれば、足趾患者自身が自分の患部に応じてハサミで複数種類の異なる足趾パッド１個を作成でき、従来の様に各足趾患部専用の複数種の足趾パッドを準備する必要が無いという利点を有する。
【図面の簡単な説明】
【００１２】
【図１】本発明の第１実施例に係る足趾パッド作成キットの全体的な外観斜視図である。
【図２】（A）は本発明の第１組の切断表示線（G１）だけを抽出した外観斜視図であり、（B）はこの第１組の切断表示線に沿って切断して作成した第１足趾パッドの外観斜視図である。
【図３】（A）は本発明の第２組の切断表示線（G２）だけを抽出した外観斜視図であり、（B）はこの第２組の切断表示線に沿って切断して作成した第２足趾パッドの外観斜視図である。
【図４】（A）は本発明のリング状の第３組の切断表示線（G３）だけを抽出した外観斜視図であり、（B）はこの第３組の切断表示線に沿って切断して作成した第３足趾パッドの外観斜視図である。
【図５】本発明の第１足趾パッドを外反母趾部に装着した使用例図で足の甲側から見た外観図である。
【図６】本発明の第１足趾パッドを種子骨痛部に装着した使用例図で足の裏面から見た外観図である。
【図７】本発明の第１足趾パッドを内反小趾部に装着した使用例図で足の甲側から見た外観図である。
【図８】本発明の第１足趾パッドを内反小趾部に装着した使用例図で足の裏面から見た外観図である。
【図９】本発明の第２足趾パッドを第３足指に装着した使用例図で足の裏面から見た外観図である。
【図１０】本発明の第２足趾パッドを第３足指に装着した使用例図で足の裏から見た外観図である。
【図１１】本発明のリング状の第３足趾パッドをハンマートゥ部、指タコ部に装着した使用例図で足の甲側から見た外観図である。
【図１２】本発明の第３足趾パッドをハンマートゥ部、指タコ部に装着した使用例図で足の裏面から見た外観図である。
【発明を実施するための形態】
【００１３】
図１は本発明の足趾パッド作成キット（１００）の全体的な外観斜視図である。この足趾パッド作成キット（１００）は、足指に装着して使用する足趾パッドを足趾患者自身がDIY（Do-It-Yourself）感覚で作成する足趾パッド作成キットである。足趾患者はこの足趾パッド作成キットを一つ準備すれば、このキットには複数種類の異なる足趾パッドの形状が表示されており、その中の一つを選択して切取ることで一つの足趾パッドを作成することが可能である。この足趾パッド作成キットは一本の足指が挿入可能な内径を有する低反発素材又はシリコン素材を用いたチューブ状の筒状本体部（１）で構成されている。
【００１４】
このチューブ状の筒状本体部は外筒軸芯に対し内筒軸芯が偏芯、すなわち少しずれているため、筒厚が厚肉に形成された厚肉面（３）と薄肉に形成された薄肉面（４）が形成されている。そしてこの厚肉面（保護面）（３）を足趾患部、例えば足趾のタコに当接させて痛みを軽減させる構成になっている。なお厚肉面（保護面）（３）は、筒状本体部（１）の略半分の領域に設けられている。
【００１５】
そして軸芯に対してこの筒状本体部の外表面の厚肉面（保護面）（３）と対称位置の外表面部、つまり軸芯に対して反対側の外表面部には、例えばハサミ等で切断すべき箇所を示す第１組の切断表示線（G１）、第２組の切断表示線（G２）と、軸芯に対して直交する方向には輪切りすべき箇所を示すリング状の第３組の切断表示線（G３）とが表示されている。この第１組の切断表示線（G１）には第１足趾パッド（１０）作成用に切断すべき箇所が示され、第２組の切断表示線（G２）には第２足趾パッド（２０）作成用に切断すべき箇所が示され、そして第３組の切断表示線（G３）には第３足趾パッド（３０）作成用に切断すべき箇所が各々示されている。なお図１ではチューブ状の筒状本体部（１）の指挿入部（２）の左端は貫通孔となっているが、塞がっている構成でもよい。
【００１６】
足趾パッド作成キット（１００）の筒状本体部（１）は、数値に限定されないが一例として、長さは１０センチメートル程度で、厚肉面（保護面）（３）は厚さ１０ミリメートル、薄肉面（４）は厚さ５ミリメートル程度が想定されている。低反発素材の厚肉面（保護面）（３）は、実際には体重で押し付けることとなるので厚みが圧縮され今まで使用している靴を問題なく使用できるように構成されている。また内径は２０ミリメートル程度を想定されており、脱着出来るようにしている。これらの寸法は、男性、女性、親指、小指に応じて実験などのより適切な寸法に設定すればよい。更にまた足趾パッド作成キット（１００）の筒状本体部（１）は、金型で抜くことにより製造したり、金型に材料を流し込むことにより製造してもよい。他の足趾パッド作成キット（１００）の製造方法として、金型は使用せずに、上述のハサミ等で切断すべき箇所を示す第１組、第２組、第３組の各切断表示線（G１、G２、G３）を、筒状本体部（１）に貼付すべき切断表示線シート（５０）に印刷し、この印刷された切断表示線シート（５０）を筒状本体部（１）の表面に貼付してもよい。
【００１７】
足趾パッド作成キット（１００）は、スポンジ、シリコン、軟質ウレタンフォームのような低反発素材で構成されている。そのため柔軟性と弾力性を有し、ハサミで容易に切断可能であるため、足趾患者が自分で手軽に患部の位置に応じて、ハサミで容易に必要な形状に切取ることも可能である。それにより足の指に使用したり足裏に使用するなど、不特定の形に変化させてハサミで切取り、あらゆる部位に使用することが出来るようになっている。
【００１８】
上記の厚肉面（保護面）（３）と薄肉部（４）とは、夫々が軸芯に対して対称位置になるように一体に形成されており、厚肉面（保護面）（３）は薄肉部（４）に向かって徐々に薄く形成されており、指挿入部（２）に指を挿入することにより、厚肉面（保護面）（３）が患部に当接し、薄肉部（４）が隣接する指に当接するようにしている。なお厚肉面（保護面）（３）は2重、３重にすることで更に厚くしてもよい。
【００１９】
次に第１組の切断表示線（G１）、第２組の切断表示線（G２）、第３組の切断表示線（G３）の切断表示線について更に具体的に説明を行う。足趾パッド作成キット（１００）から第１足趾パッド（１０）を作成するための第１組の切断表示線（G１）は切断表示線L11、L12、L13の３本の切断表示線で構成され、第２足趾パッド（２０）を作成するための第２組の切断表示線（G２）は切断表示線L21、L11の２本の切断表示線で構成され、そして第３足趾パッド（３０）を作成するためのリング状の第３組（G３）は切断表示線L31、L32、L33の３本の切断表示線で構成されている。この各々の切断表示線についての特性については後述するが、１組の切断表示線をハサミ等で切断することにより１個の足趾パッドを作成することが出来る。なお各組の切断表示線は、他の組の切断表示線とは視覚判別可能な態様で表示されている。この「視覚判別可能な態様」とは、例えば第１組の切断表示線（G１）の切断表示線L11、L12、L13は実線で表示し、第２組の切断表示線（G２）の切断表示線L21、L11は一点鎖線点線、第３組（G３）の切断表示線L31、L32、L33は二点鎖線で表示されている。足趾患者はこの表示により切取るべき切断表示線を容易に識別可能となり、1個の足趾パッド作成キット（１００）があれば、DIY感覚でこの例では３種の異なる足趾パッド、すなわち第１足趾パッド（１０）、第２足趾パッド（２０）、第３足趾パッド（３０）の何れか１個の足趾パッドを作成することが可能となる。
【００２０】
図２（A）は本発明の第１組の切断表示線（G１）だけを抽出した外観斜視図であり、（B）はこの第１組の切断表示線に沿って切断して作成した第１足趾パッド（１０）の外観斜視図である。すなわち本発明の足趾パッド作成キット（１００）の全体図は図１に示した通りではあるが、図２（A）は他の組との混同を避けるために便宜上、第１組の切断表示線（G１）のみを図示したものである。この第１組の切断表示線（G１）は（A）に図示するように、筒状本体部（１）の軸芯に対し直交方向に切断するとき形成される弧状の切断表示線（L１１）と、この弧状の切断表示線の両端部の各々を起点として、前記筒状本体部の軸芯に対し平行方向に筒状本体部の一方の端部（図中右端）に至る２本の直線状の切断表示線（L１２、L１３）、の合計３本の切断表示線で構成されている。上記弧状の切断表示線（L１１）は、略半円状でよく、また円筒状のまま残された指挿入部（２）は軸方向長として足指長と略同一でよい。なお（B）に図示する作成された第１足趾パッド（１０）では、２本の直線状の切断表示線（L１２、L１３）により切断開口され、残された厚肉面（３）は患部に当接する保護面として機能する。また残された指挿入部（２）には指が挿入され、この第１足趾パッド（１０）を固定するために機能する。なお図（A）に図示する弧状の切断表示線（L１１）は、軸芯に対し直交方向に表示されているが、患部の位置に応じて傾斜して表示されてもよい。更にまた同図に図示する軸芯に対し平行方向に筒状本体部の一方の端部（図中右端）に至る２本の直線状の切断表示線（L１２、L１３）は、波状または傾斜して表示してもよい。
【００２１】
図３（A）は本発明の第２組の切断表示線（G２）だけを抽出した外観斜視図であり、（B）はこの第２組の切断表示線に沿って切断して作成した第２足趾パッド（２０）の外観斜視図である。すなわち本発明の足趾パッド作成キット（１００）の全体図は図１に示した通りではあるが、図３（A）は他の組との混同を避けるために便宜上、第２組の切断表示線（G２）のみを図示したものである。この第２組の切断表示線（G２）は、筒状本体部（１）の軸芯に対し直交方向に切断するとき形成される弧状の切断表示線（L１１）と、この弧状の表示線の中点を起点として、筒状本体部の軸芯に対し平行方向に筒状本体部の一方の端部に至る１本の直線状の切断表示線（L２１）、合計２本の切断表示線で構成されている。上記弧状の切断表示線（L１１）は、略半円状でよく、また円筒状のまま残された指挿入部（２）は軸方向長として足指長と略同一でよい。なお（B）に図示する作成された第２足趾パッド（２０）では、１本の直線状の切断表示線（L２１）により切断開口され、軸芯と平行に折り曲げて、厚肉面（３）は患部に当接する保護面として機能する。また残された指挿入部（２）には指が挿入され、この第２足趾パッド（２０）を固定するために機能する。
【００２２】
図４（A）は本発明のリング状の第３組の切断表示線（G３）だけを抽出した外観斜視図であり、（B）はこの第３組の切断表示線に沿って切断して作成した第３足趾パッド（３０）の外観斜視図である。すなわち本発明の足趾パッド作成キット（１００）の全体図は図１に示した通りではあるが、図４（A）は他の組との混同を避けるために便宜上、第３組の切断表示線（G３）のみを図示したものである。この第３組の切断表示線（G３）は、筒状本体部（１）の軸芯に直交する方向かつ足指長の間隔で、この筒状本体部を輪切りする複数本のリング状の表切断示線（L３１、L３２、L３３）で構成されている。この例では３本のリング状の表切断示線で構成されている。なお（B）に図示する作成されたリング状の４個の第３足趾パッド（３０）は、患部の足指に装着して使用される。
【００２３】
次に第１足趾パッド（１０）、第２足趾パッド（２０）、第３足趾パッド（３０）の各々について、その使用方法を説明する。まず第１足趾パッド（１０）を外反母趾部に装着した使用例について図５を参照して説明する。図５は足の甲側から見た外観図である。このように使用することで、第１足趾パッド（１０）の指挿入部（２）を親指に挿入し、保護面（３）が足の親指付け根にできた外反母趾に当接保護して外反母趾の痛みを緩和させることが出来るようになっている。
【００２４】
次に、第１足趾パッド（１０）を使用して種子骨痛部を保護する使用例について図６を参照して説明する。図６は足の裏面から見た外観図である。このように使用することで、第１足趾パッド（１０）の指挿入部（２）を親指に挿入し、保護面（３）が足の親指付け根にできた種子骨痛部に当接保護して種子骨痛部の痛みを緩和させることが出来るようになっている。
【００２５】
次に、第１足趾パッド（１０）を使用して内反小趾部を保護する使用例について図７を参照して説明する。図７は足の甲側から見た外観図である。このように使用することで、第１足趾パッド（１０）の指挿入部（２）を小指に挿入し、保護面（３）が足の小指付け根にできた内反小趾を保護して内反小趾の痛みを緩和させることが出来るようになっている。
【００２６】
次に、第1足趾パッド（１０）を使用して内反小趾部を保護する使用例について図８を参照して説明する。図８は足の裏面から見た外観図である。このように使用することで、第１足趾パッド（１０）の指挿入部（２）を小指に挿入し、保護面（３）が足の小指付け根にできた内反小趾部を保護して、内反小趾部の痛みを緩和させることが出来るようになっている。
【００２７】
次に、第２足趾パッド（２０）を使用して足趾部を保護する使用例について図９及び図１０を参照して説明する。図９は足の甲側から見た外観図であり、図１０は足の裏から見た外観図である。このように使用することで、第２足趾パッド（２０）の指挿入部（２）を足指に挿入し、保護面（３）が足の裏にできたタコを保護して足趾の痛みを緩和させることが出来るようになっている。
【００２８】
次に、リング状の第３足趾パッド（３０）を使用して足趾部を保護する使用例について図１１及び図１２を参照して説明する。図１１は足の甲側から見た外観図であり、図１２は足の裏から見た外観図である。このように使用することで、第３足趾パッドを挿入した足指又は隣接した足指を保護して足趾上面の痛みを緩和させることが出来るようになっている。
【００２９】
なお上記実施例の第１から第３の足趾パッド（１０）、（２０）、および（３０）は、いずれも厚肉面（保護面）（３）と薄肉部（４）とで構成されているが、同一の厚みで構成されていてもよい。又、その他の使用例として手の各指に保護素材として装着可能である。
【産業上の利用可能性】
【００３０】
本願発明の１個の足趾パッド作成キット（１００）を準備すれば、足趾患者自身が自分の患部に応じてハサミで複数種類の異なる形状の足趾パッド１個を作成でき、従来の様に各足趾患部専用の複数形状の足趾パッドを準備する必要が無いという利点を有する。
【符号の説明】
【００３１】
１００    足趾パッド作成キット
１        筒状本体部
２        指挿入部
３        厚肉面（保護面）
４        薄肉部
１０      第1足趾パッド
２０      第２足趾パッド
３０      第３足趾パッド
５０      切断表示線シート
G1        第１組の切断表示線
G2        第２組の切断表示線
G3        第３組の切断表示線
L11、L12、L13、L21、L31、L32、L33        切断表示線
【要約】
【課題】足趾患者自身がハサミで切断することで、上記足趾各部の色々なトラブルに対応可能な足趾パッドを作成できる足趾パッド作成キットを提供することを目的とする。
【解決手段】この足趾パッド作成キットは、足指に装着して使用する足趾パッドをDIY（Do-It-Yourself）感覚で作成できる足趾パッド作成キットであり、一本の足指が挿入可能な内径を有する低反発素材又はシリコン素材を用いた筒状本体部（チューブ状本体）で構成されている。その外表面には足趾患部に当てて痛みを軽減する厚肉面（保護面）が設けられている。そして外表面部には、切断すべき箇所を示す第１組および第２組の切断表示線（G１、G２）が表示されている。更に又、輪切りすべき箇所を示す第３組の切断表示線（G３）も表示されている。これ等のG1、G2、G3の切断表示線を、例えばハサミ等で切断して第１から第３の足趾パッドを自分で作成することが可能となる。
【選択図】図１【図１】
0006931958.tif 000002
【図２】
0006931958.tif 000003
【図３】
0006931958.tif 000004
【図４】
0006931958.tif 000005
【図５】
0006931958.tif 000006
【図６】
0006931958.tif 000007
【図７】
0006931958.tif 000008
【図８】
0006931958.tif 000009
【図９】
0006931958.tif 000010
【図１０】
0006931958.tif 000011
【図１１】
0006931958.tif 000012
【図１２】
0006931958.tif 000013